(57)【特許請求の範囲】
【請求項１】
カウンター等の天板に設置される中空形状のカバー体と、このカバー体の上部に設けられ供給された湯，水が混合される本体と、本体に接続されカバー体の内部に収容されるエルボと、一端がエルボと接続され他端は本体で混合された湯水が吐水される吐水具と連通する接続部材とを備え、前記カバー体の左右の側面に取出孔が穿設され、この取出孔の何れか一方に接続部材を装着し、この接続部材によりカバー体と本体とを挟持する水栓において、前記取出孔の中心軸線の位置を、左右で偏心させたことを特徴とする水栓。
【請求項２】
前記本体とエルボとは、本体に形成されたフランジとエルボに形成されたフランジとを固定金具に形成された複数の係止溝に係合することにより接続する構成とし、接続部材は、カバー体の左側に取り付けた場合と右側に取り付けた場合とで、各フランジの固定金具の係止溝への係合位置を変えることにより、本体に対するエルボの取付位置を調節可能とした請求項１記載の水栓。
【請求項３】
前記固定金具には、取付方向を示す目印を設けたことを特徴とする請求項２記載の水栓。
【発明の詳細な説明】
【技術分野】
【０００１】
本発明は、浴室等に設置される水栓に関するものである。
【背景技術】
【０００２】
浴室等に設置される水栓は、浴室内に設けられたカウンター等の天板または壁面に取り付けられ、給湯源，給水源から供給された湯と水とを混合し、混合された湯水は吐水管、またはホースを介して接続されたシャワーヘッドの何れか一方から吐水されるものである。そして、この種の水栓においては、ホースは本体の後面で左右方向の中心に取り付けられるのが一般的である。
【０００３】
上記の水栓では、本体の後面と浴室の壁面との間に形成された空間にホースが収容されているが、この空間は狭く、ホースを自由に取り回すことができないため、シャワーヘッドを広い範囲で使用することができなくなるおそれがあった。そこで、ホースを水栓の本体に対して左右何れかの側面に接続することが考えられる。しかし、浴室の形態には、浴槽が水栓に対して右側に配置される仕様と左側に配置される仕様、すなわち、浴室のレイアウトは、浴槽と水栓とが左右反対となる場合がある。そのため、ホースの水栓本体への取付位置は取り回しの関係上、水栓に対して右側に接続される形態と、左側に接続される形態との、２種類の仕様の水栓が必要となってしまい、その改善が望まれていた。そこで、水栓の両側面に予め接続口をそれぞれ形成し、浴室の形態に応じて好適な側面にのみホースを接続可能としたものに、特許文献１のものがある。
【０００４】
特許文献１について簡単に説明すると、シャワー装置は、前面側にシャワー吐出口を有するシャワー装置本体の両側にそれぞれ接続口を設け、一方の接続口にホースの後端部を取り付け、他方の接続口は使用しないため、めくらキャップを取り付けたものである。また、箱体にカバーを被着する構成が採用されており、箱体に設けられた接続口と、カバーの外側から一方の接続口に接続されるエルボとによりカバーを挟着することで、カバーは箱体に固定され、箱体の両側面に設けられた接続口は、互いの中心軸線が同一軸線上となるように形成されている。
【特許文献１】実開平４−９５７８８号
【発明の開示】
【発明が解決しようとする課題】
【０００５】
特許文献１のシャワー装置本体では、箱体に設けられた左右どちらか一方の接続口にエルボを取り付けていく際に、カバーの外周面にエルボの鍔部が密着するが、この状態でエルボを締め付けていくと、その締付力がカバーにも伝達する。この場合、左右の接続口は互いの中心線が同一軸線上であるため、両接続口を中心にエルボとカバーとが箱体に対し共回りするおそれがあり、安定した状態でカバーを箱体へ固定することができなかった。
【０００６】
本発明は、このような従来の技術に存在する問題点に着目してなされたものであり、その目的は、カバー体の左右に形成された取出孔の何れか一方に、吐水具に連通する接続部材を取り付ける水栓において、安定した状態で本体とカバー体とを固定することができる水栓を提供することにある。
【課題を解決するための手段】
【０００７】
上記目的を達成するために、請求項１に記載の発明は、カウンター等の天板に設置される中空形状のカバー体と、このカバー体の上部に設けられ供給された湯，水が混合される本体と、本体に接続されカバー体の内部に収容されるエルボと、一端がエルボと接続され他端は本体で混合された湯水が吐水される吐水具と連通する接続部材とを備え、前記カバー体の左右の側面に穿設された取出孔の何れか一方に接続部材を設け、この接続部材と前記エルボとによりカバー体を挟持する水栓において、前記取出孔の中心軸線の位置を、左右で偏心させたものである。
【０００８】
請求項２では、請求項１において、前記本体とエルボとは、本体に形成されたフランジとエルボに形成されたフランジとを固定金具に形成された複数の係止溝に係合することにより接続する構成とし、接続部材は、カバー体の左側に取り付けた場合と右側に取り付けた場合とで、各フランジの固定金具の係止溝への係合位置を変えることにより、本体に対するエルボの取付位置を調節可能としたものである。
【０００９】
請求項３では、請求項２において、前記固定金具には、取付方向を示す目印を設けたものである。
【発明の効果】
【００１０】
本発明の請求項１では、カバー体に穿設された取出孔は、その中心軸線が左右で偏心させているので、エルボに接続部材を取り付ける際に、接続部材の締付力によってカバー体と接続部材とが共回りすることがなく、カバー体を本体に強固に固定することができる。
【００１１】
請求項２では、本体に対するエルボの取付位置を調節可能としたので、浴室の形態によって形状の異なるエルボ及び固定金具を用意する必要がなく、部品を共用することができる。
【００１２】
請求項３では、エルボを本体に対し固定金具により接続する場合に、固定金具に設けられた目印を確認することで正確に取り付けることができる。
【発明を実施するための最良の形態】
【００１３】
以下、本発明の実施例を図に基づいて詳細に説明する。
【実施例１】
【００１４】
図１は、本発明の水栓Ａが浴室Ｂ内のカウンター等の天板Ｐに取り付けられた状態の全体図である。
この水栓Ａは、本体１の内部に混合弁３及び切替弁４が設けられており、本体１の一端に設けられた温調ハンドル５を操作することで、本体１に供給された湯，水を所望温度に混合し、本体１の他端に設けられた切替ハンドル６を操作することで、混合弁３で混合された湯水は吐水口７、またはホース８を介して接続された吐水具としてのシャワーヘッド９の何れか一方から吐水されるものである。また、本体１は中空形状をなしたカバー体１１の上部に設けられており、図２に示すように、本体１とカバー体１１とは、カバー体１１の内面に設けられた本体固定板１６を介して固定されている。そして、本体１とホース８とは、カバー体１１の内部に収容されたエルボ２０により接続されている。なお、本体１の中央下部には円筒形状の嵌合部２が下方に突出するように形成され、該嵌合部２の先端には薄板状で同一形状の第１フランジ２ａ及び第２フランジ２ｂがそれぞれ形成されている。
【００１５】
前記カバー体１１は中空状の箱型形状で、内部には本体１とホース８とを接続するためのエルボ２０が収容されている。また、図２に示すように、カバー体１１の左右の側面には取出孔１２，１２ａがそれぞれ穿設されているが、両取出孔１２，１２ａの中心軸線Ｘ１，Ｘ２は左右で偏心させている。そして、一方の取出孔１２にはシャワーヘッド９と連通する接続部材３０が装着され、この接続部材３０はエルボ２０に接続されている。また、他方の取出孔１２ａには接続部材３０が装着されないため、取出孔１２ａを塞ぐための盲蓋７０が取り付けられている。
【００１６】
前記エルボ２０は略Ｌ字形の中空形状で、図３及び図４に示すように、その一方には本体１と接続される本体接続部２１が形成され、他方には接続部材３０が接続される流体供給部２６が形成されている。本体接続部２１は、その外径が本体１の嵌合部２の内径と略同一の円筒形状で、外周面には複数の環状溝２２が形成され、この環状溝２２に弾性材からなるシール材２３がそれぞれ装着されている。また、環状溝２２の下方には台座２５を介して第３フランジ２４が外方に突出しており、台座２５の外径は本体１の嵌合部２の外径より大径に形成され、第３フランジ２４の外径は本体１のフランジ２ａ，２ｂの外径と同一に形成されている。流体供給部２６は、その外径がカバー体１１に穿設された取出孔１２，１２ａより大径の円筒形状で、その端部には接続部材３０が螺合される第１雌ねじ２７が形成されている。
【００１７】
前記接続部材３０はホース８とエルボ２０とを接続するものであり、エルボ２０に取り付けられる取付ナット３１と、ホース８の一端に取り付けられる接続具５１と、取付ナット３１と接続具５１とを結合するアダプター４１とから構成されている。なお、本実施例では、接続部材は取付ナット，アダプター，接続具がそれぞれ別体に形成されているが、これに限定されることはなく、一体に形成されていてもよい。
【００１８】
前記取付ナット３１は略円筒形状で、中央にはカバー体１１の取出孔１２，１２ａより大径の鍔部３２が外方に突出して形成されている。そして、この鍔部３２を挟んで一方には、取出孔１２，１２ａより小径の挿入筒３３と、エルボ２０の第１雌ねじ２７に螺合する第１雄ねじ３４が順に形成され、他方にはアダプター４１に螺合される第２雄ねじ３５が形成されている。
【００１９】
前記アダプター４１は円筒形状で、取付ナット３１と接続具５１とを結合するものであり、一端には取付ナット３１の第２雄ねじ３５と螺合する第２雌ねじ４２が形成され、他端には接続具５１と螺合する第３雌ねじ４３が形成されている。
【００２０】
前記接続具５１は略Ｌ字型の中空形状で、一端にはホース８が接続されるとともに、他端にはアダプター４１の第３雌ねじ４３と螺合する雄ねじ５２が形成されている。
【００２１】
前記固定金具６０は合成樹脂製で、本体１とエルボ２０とをワンタッチで接続可能とするためのもので、図４に示すように、基部６１の両端から同一方向に突出した係止部６２，６２を設け、この両係止部６２，６２の間に、本体１の嵌合部２とエルボ２０の本体接続部２１の端部が挿通する挿通部６３が形成されている。そして、固定金具６０の基部６１から係止部６２にわたる内周には、本体１及びエルボ２０に形成されたフランジ２ａ，２ｂ，２４を嵌入可能な複数個（本実施例では３個）の係止溝６４，６５，６６が形成されている。この係止溝６４，６５，６６は前記本体１及びエルボ２０のフランジ２ａ，２ｂ，２４の厚みに対応する上下幅に形成されている。また、各係止溝６４，６５，６６の両横は内方に向かって突起６７ａ，６７ｂ，６７ｃ，６７ｄがそれぞれ形成されており、第１，第３突起６７ａ，６７ｃは、その内径が本体１の嵌合部２の外径と同一に形成され、第２，第４突起６７ｂ，６７ｄは、その内径がエルボ２０の本体接続部２１の台座２５の外径と同一に形成されている。さらに、基部６１には固定金具６０の本体１及びエルボ２０に対する取付方向を示す目印６８が設けられている。
【００２２】
次に、エルボ２０と接続部材３０との接続について説明する。
まず、水栓Ａの左右どちらの側面にホース８を接続するかを確認する。例えば、水栓Ａに向かって右側面にホース８を接続する場合には、図２及び図５（ａ）に示すように、エルボ２０の第３フランジ２４と本体１の第１フランジ２ａとの間に空間が形成されるように、エルボ２０の本体接続部２１を本体１の嵌合部２に挿入するとともに、エルボ２０の流体供給部２６とカバー体１１の取出孔１２との中心軸線を一致させる。その後、固定金具６０の目印６８を確認し、図５（ｂ）に示すように、固定金具６０と嵌合部２とは、第１係止溝６４と第３フランジ２４とが係合するように、固定金具６０と本体接続部２１とは、第２係止溝６５と第１フランジ２ａが、第３係止溝６６と第２フランジ２ｂがそれぞれ係合することでエルボ２０が本体１へ取り付けられる。このとき、固定金具６０の上下が反対になっていると、第１突起６７ａがエルボ２０の本体接続部２１の台座２５に当接することから、固定金具６０を本体１へ取り付けることができず、施工者は固定金具６０の取付方向が上下反対であることに気づく。したがって、施工者は再度目印６８を確認して、固定金具６０を正確に取りつけることができる。
【００２３】
次に、接続部材３０とエルボ２０とを接続するために、取付ナット３１の第１雄ねじ３４とエルボ２０の第１雌ねじ２７とを螺合させる。そして、取付ナット３１を締め付けていくと、取付ナット３１の鍔部３２とエルボ２０の流体供給部２６端面とにより、カバー体１１と本体固定板１６とが挟持され、カバー体１１は本体１に強固に固定される。なお取付ナット３１を締め付けていく際には、この締付力が鍔部３２を介してカバー体１１へ伝達されるが、カバー体１１の両側面に穿設された取出孔１２，１２ａは、その中心軸線Ｘ１，Ｘ２が左右で偏心するように形成されているため、取付ナット３１の締付方向にカバー体１１が動くことはない。したがって、カバー体１１を本体１に確実に固定することができる。その後、アダプター４１の第３雌ねじ４３に接続具５１の第３雄ねじ５２を螺合させるとともに、カバー体１１の取出孔１２ａに盲蓋７０を取り付けることで、作業が完了する。
【００２４】
また、水栓Ａに向かって左側面にホース８を接続する場合には、図６及び図７（ａ）に示すように、エルボ２０の第３フランジ２４と本体１の第１フランジ２４とが互いに重なり合うように、エルボ２０の本体接続部２１を本体１の嵌合部２に挿入するとともに、エルボ２０の流体供給部２６とカバー体１１の取出孔１２ａとの中心軸線を一致させる。その後、固定金具６０の目印６８を確認し、固定金具６０を図４の状態から上下反転させた状態にし、固定金具６０と本体接続部２１とは、第２係止溝６５と第３フランジ２４とが係合するように、固定金具６０と嵌合部２とは、第２係止溝６５と第１フランジ２ａとが、第１係止溝６４と第２フランジ２ｂとがそれぞれ係合することで、エルボ２０が本体１へ取り付けられる。このとき、固定金具６０の上下が反対になっていると、第３突起６７ｃがエルボ２０の本体接続部２１の台座２５に当接することから、固定金具６０を本体１へ取り付けることができず、施工者は固定金具６０の取付方向が上下反対であることに気づく。したがって、施工者は再度目印６８を確認して、固定金具６０を正確に取りつけることができる。また固定金具６０は、本体１及びエルボ２０の各フランジ２ａ，２ｂ，２４と固定金具６０の係止溝６４，６５，６６とが係合する位置を変えることにより、本体１に対するエルボ２０の取付位置を調節可能としている。
【００２５】
次に、接続部材３０とエルボ２０とを接続するために、取付ナット３１の第１雄ねじ３４とエルボ２０の第１雌ねじ２７とを螺合させる。取付ナット３１を締め付けていくと、取付ナット３１の鍔部３２とエルボ２０の流体供給部２６端面とにより、カバー体１１と本体固定板１６とが挟持され、カバー体１１は本体１に強固に固定される。なお、取付ナット３１を締め付けていく際には、この締付力が鍔部３２を介してカバー体１１へ伝達されるが、カバー体１１の両側面に穿設された取出孔１２，１２ａは、その中心軸線Ｘ１，Ｘ２が左右で偏心するように形成されているため、取付ナット３１の締付方向にカバー体１１が動くことはない。したがって、カバー体１１を本体１に確実に固定することができる。その後、アダプター４１の第３雌ねじ４３に接続具５１の第３雄ねじ５２を螺合させるとともに、カバー体１１の取出孔１２ａに盲蓋７０を取り付けることで、作業が完了する。
【００２６】
このように本発明では、カバー体に穿設された取出孔は、その中心軸線が左右で偏心させているので、エルボに接続部材を取り付ける際に、接続部材の締付力によってカバー体と接続部材とが共回りすることがなく、カバー体を強固に固定することができる。また固定金具は、上下を反転させることにより、本体及びエルボの各フランジと固定金具の係止溝とが係合する位置を変えることで、本体に対するエルボの取付位置を調節することができるので、浴室の形態によって形状の異なるエルボ及び固定金具を用意する必要がなく、部品を共用することができる。さらに、目印を確認することで固定金具を正確に取り付けることができる。
【図面の簡単な説明】
【００２７】
【図１】本発明の水栓を浴室のカウンターに取り付けた状態の説明図である。
【図２】エルボの水栓に対する取付状態を示す一部断面図である。
【図３】図２におけるエルボとカバー体との関係を示す一部断面図である。
【図４】図２におけるエルボと本体との接続方法を示す分解斜視図である。
【図５】図２におけるエルボと本体との接続状態を示す説明図で、（ａ）はエルボと本体に対し固定金具を取り付ける前の状態、（ｂ）はエルボと本体に対し固定金具を取り付けた後の状態である。
【図６】エルボの取付方向を、図２とは反対にした状態の説明図である。
【図７】図６におけるエルボと本体との接続状態を示す説明図で、（ａ）はエルボと本体に対し固定金具を取り付ける前の状態、（ｂ）はエルボと本体に対し固定金具を取り付けた状態である。
【符号の説明】
【００２８】
Ａ          ：水栓
Ｐ          ：天板
１          ：本体
１１        ：カバー体
１２，１２ａ：取出孔
２０        ：エルボ
３０        ：接続部材
６８        ：目印
Ｘ１，Ｘ２  ：取出孔の中心軸線
【図１】
0004672476.tif 000002
【図２】
0004672476.tif 000003
【図３】
0004672476.tif 000004
【図４】
0004672476.tif 000005
【図５】
0004672476.tif 000006
【図６】
0004672476.tif 000007
【図７】
0004672476.tif 000008